(57)【特許請求の範囲】
【請求項１】
２枚の不透気性シートを備える対流加温ブランケットであって、前記２枚の不透気性シートがそれらの縁部において互いに接合されて膨らませることが可能な構造を形成し、前記構造が上胴部と２本の縦脚部とを有し、前記２本の縦脚部が前記上胴部の末端部から延び、前記２本の縦脚部が空間により互いに隔てられ、当該ブランケットを患者の上にかけた時に患者の足から少なくとも患者の脚に至る患者の側面を露出させるのに十分なように前記空間が構成され、前記２本の縦脚部の一方が前記上胴部の左側縁部又は右側縁部から延びる縁部を有し、前記上胴部の最左側縁部と最右側縁部との間に位置する前記上胴部の末端部から前記２本の縦脚部の他方が延び、当該ブランケットを患者の上にかけた時に前記２本の縦脚部が患者の側面を挟むように構成され、前記構造を膨らますために前記構造に温度処理された空気を入れることを可能にする少なくとも１つの入口が前記上胴部に設けられ、前記２枚の不透気性シートのうち患者に接触する不透気性シートが患者に向けて前記温度処理された空気を出すための孔を有する対流加温ブランケット。
【請求項２】
前記上胴部が腕部を有し、患者の腕を覆うために前記腕部が前記２本の縦脚部の他方を直交方向に越えて延びる請求項１に記載の対流加温ブランケット。
【請求項３】
さらにフラップを備え、前記フラップが前記上胴部の末端部から延び、前記フラップが前記上胴部の末端部に固定接続され、前記フラップが、前記２本の縦脚部のうち他方の縦脚部の、前記空間から遠方の側の縦縁部に分離可能に取り付けられている縦縁部を有する請求項１に記載の対流加温ブランケット。
【請求項４】
さらに接着手段を備え、前記接着手段が前記上胴部の上方端部に設けられ、前記フラップが、前記２本の縦脚部のうち他方の縦脚部の前記縦縁部から分離された時に前記フラップは前記上胴部に巻くことが可能であり、前記フラップを前記接着手段に取り付けることにより前記フラップが前記上胴部に固定される請求項３に記載の対流加温ブランケット。
【請求項５】
さらに接着手段を備え、前記接着手段が前記２本の縦脚部の前記空間から遠方の縁部に沿って設けられ、前記接着手段により前記２本の縦脚部の前記縁部が患者と当該ブランケットが置かれる面に接着し、これにより当該ブランケットの前記２本の縦脚部が前記面に固定される請求項１に記載の対流加温ブランケット。
【請求項６】
前記２枚の不透気性シートのうち患者に接触する不透気性シートに孔の複数の列が設けられ、前記孔の列が患者の腕が配置される方向に沿っていて、少なくとも前記上胴部によりカバーされる患者の腕に向けて温度処理された空気を出すように構成される請求項１に記載の対流加温ブランケット。
【請求項７】
前記２枚の不透気性シートのうち患者に接触する不透気性シートにおいて、当該ブランケットの前記上胴部に縦方向に沿う孔の複数の列が形成され、少なくとも患者の体の上方部分に向けて温度処理された空気を出すように構成される請求項１に記載の対流加温ブランケット。
【請求項８】
それぞれが孔の２本の縦列から成る複数の組が前記２本の縦脚部の互いに対向し前記空間を画定する縁部に沿って設けられ、前記空間に位置する患者の脚と患者の体の下方部分に向けて温度処理された空気が前記孔縦列の組から出るように構成される請求項１に記載の対流加温ブランケット。
【請求項９】
患者が右側面を下にして横たわる時に当該ブランケットが患者をカバーするように構成され、前記２本の縦脚部の間の位置において患者の体の上方部分から下の患者の左側面が露出する請求項１に記載の対流加温ブランケット。
【請求項１０】
患者が左側面を下にして横たわる時に当該ブランケットが患者をカバーするように構成され、前記２本の縦脚部の間の位置において患者の体の上方部分から下の患者の右側面が露出する請求項１に記載の対流加温ブランケット。
【請求項１１】
膨らませることが可能な構造を備える対流ブランケットであって、前記構造が上胴部と、２本の脚部と、フラップと、少なくとも１つの入口とを有し、前記２本の脚部が前記上胴部の末端部から延び、前記２本の脚部が空間により互いに隔てられ、当該ブランケットにより患者がカバーされた時に患者の足から少なくとも患者の脚に至る患者の側面を露出させるのに十分なように前記空間が構成され、前記２本の脚部の一方が前記上胴部の左側部または右側部から延び、前記２本の脚部の他方が前記上胴部の最左側部と最右側部との間の位置において延び、前記２本の脚部の一方が延びていない前記上胴部の側部から前記フラップが延び、前記入口が温度処理された空気を前記構造に入れることを可能にする対流ブランケット。
【請求項１２】
共通の縦シール部に沿って前記フラップと前記２本の脚部の他方が分離可能であり、前記フラップは前記上胴部に対して封止され、前記フラップは膨らませることが可能でない請求項１１に記載の対流ブランケット。
【請求項１３】
さらに接着手段を備え、前記接着手段が前記上胴部に設けられ、前記フラップが前記２本の脚部の他方から分離された後に前記フラップは前記上胴部に巻くことが可能であり、前記フラップを前記接着手段に取り付けることにより前記フラップが前記上胴部に固定される請求項１２に記載の対流ブランケット。
【請求項１４】
さらに接着手段を備え、前記接着手段が前記２本の脚部の対向する縁部に沿って設けられ、前記接着手段により前記２本の脚部が患者と当該ブランケットが置かれる面に取り付けられる請求項１１に記載の対流ブランケット。
【請求項１５】
患者に接触するシートを前記構造が含み、患者の腕を覆う前記上胴部の部分において前記シートに孔の複数の列が設けられ、前記孔の列が前記２本の脚部に直交する方向にあり、少なくとも患者の腕に向けて前記温度処理された空気を出すように構成される請求項１１に記載の対流ブランケット。
【請求項１６】
患者に接触するシートを前記構造が含み、患者の体の上方部分を覆う前記上胴部の部分に沿って前記シートに縦方向の孔の複数の列が形成され、少なくとも患者の体の上方部分に向けて温度処理された空気を前記孔の複数の列から出すように構成される請求項１１に記載の対流ブランケット。
【請求項１７】
孔の少なくとも１本の列が前記２本の脚部の前記空間に臨むそれぞれの縁部に沿って設けられ、患者の脚と患者の体の下方部分に向けて前記温度処理された空気が前記孔の列から出るように構成される請求項１１に記載の対流ブランケット。
【請求項１８】
患者の体の上方部分から下の患者の左側面または右側面が露出されるように患者をカバーするように構成される請求項１１に記載の対流ブランケット。
【請求項１９】
周縁部において封止されている２枚の不透気性シートにより形成され、患者の側面へのアクセスを可能にする対流加温ブランケットであって、上胴部と、２本の脚部と、少なくとも１つの入口と、第１方向の孔の複数の列と、第２方向の孔の複数の列とを備え、前記２本の脚部が前記上胴部の末端部から延び、前記２本の脚部が空間により互いに隔てられ、患者が当該ブランケットによりカバーされた時に患者の足から少なくとも患者の脚に至る患者の側面を露出させるのに十分なように前記空間が構成され、前記２本の脚部の一方が前記上胴部の左側部または右側部から延び、前記２本の脚部の他方が前記上胴部の最左側部と最右側部との間の位置において延び、前記２枚の不透気性シートが膨らませることが可能な構造を形成し、前記入口が温度処理された空気を前記構造に入れて前記構造を膨らませることを可能にし、患者の腕を覆う前記上胴部の部分において前記２枚の不透気性シートのうち患者に接触する不透気性シートに前記第１方向の孔の複数の列が設けられ、少なくとも患者の腕に向かって加熱された空気を前記第１方向の孔の複数の列から出すよう構成され、患者の体の上方部分を覆う前記上胴部の部分に沿って前記患者に接触する不透気性シートに前記第２方向の孔の複数の列が設けられ、少なくとも患者の体の上方部分に向かって加熱された空気を前記第２方向の孔の複数の列から出すよう構成される対流加温ブランケット。
【請求項２０】
前記２本の脚部の前記空間を臨む縦縁部に沿って前記２本の脚部の各々が孔の少なくとも１本の列を備え、前記孔の列が加熱された空気を患者の露出した側面に向けて出すように構成される請求項１９に記載の対流加温ブランケット。
【請求項２１】
さらにフラップを備え、前記２本の脚部の一方が延びていない前記上胴部の側部から前記フラップが延び、共通の縦シール部に沿って前記フラップと前記２本の脚部の他方が分離可能であり、前記フラップは前記上胴部に対して封止され、前記フラップは膨らませることが可能でない請求項１９に記載の対流加温ブランケット。
【請求項２２】
さらに接着手段を備え、前記接着手段が前記上胴部に設けられ、前記フラップが前記２本の脚部の他方から分離された後に前記フラップは前記上胴部に巻くことが可能であり、前記フラップを前記接着手段に取り付けることにより前記フラップが前記上胴部に固定される請求項２１に記載の対流加温ブランケット。
【請求項２３】
さらに接着手段を備え、前記接着手段が前記２本の脚部の対向する縁部に沿って設けられ、前記接着手段により前記２本の脚部が患者と当該ブランケットが置かれる面に取り付けられる請求項１９に記載の対流加温ブランケット。
【発明の詳細な説明】
【技術分野】
【０００１】
本発明は、対流式加温ブランケットに関し、より詳しくは臨床医または外科医が側部を下にして横たわる患者の側面にアクセスできるように設計されるブランケットに関する。
【背景技術】
【０００２】
手術中に患者を温めるために対流式加温ブランケットを使用することは、知られている。このような対流式加温ブランケットは、患者の体の全部あるいは患者の体の一部を覆うために使用されるブランケットを含む。下敷き用ブランケットもあり、この場合患者がブランケットの上に横たわる。しかし今のところ、外科医が患者の側面にアクセスして患者が側部を下にして横たわることが必要な外科処置や他の処置、例えば人工股関節移植を行うことを可能にする対流式加温ブランケットは、市場には存在しない。
【発明の概要】
【０００３】
本発明の対流加温ブランケットは、患者の上にかけられるように構成される。そしてブランケットが患者の上にかけられた状態において、患者の足からほぼ患者の背中の下方部分と胃に至る患者の横側面が露出し、これにより患者が側面を下にして横たわらなければならない外科処置や他の処置のために、臨床医または外科医が患者にアクセスできるようになっている。外科医が患者の左側面と右側面のどちらにもアクセスできるように、本発明のブランケットは、患者が右側面を下にして横たわる場合（左側面アクセス用ブランケット）または患者が左側面を下にして横たわる場合（右側面アクセス用ブランケット）に合わせて設計される。
【０００４】
詳しくは、ブランケットは２枚の不透気性シートから成る。２枚の不透気性シートは、周縁部において封止され、膨らませることが可能な構造を形成する。膨らませることが可能な構造は、上胴部を有する。患者の体の上方部分を覆うように、上胴部の寸法が決定されている。空間的に離れた２本の縦脚部が、上胴部の末端部から延びている。２本の縦脚部の一方は、上胴部の左側部または右側部から延びている。この場合、２本の縦脚部の一方の外縁部が、上胴部の縦外縁部から継ぎ目なく延びている。上胴部の最も左の縦外縁部と最も右の縦外縁部とから離れた位置において、上胴部の末端部から２本の縦脚部の他方が延びている。
【０００５】
上胴部の最左側縁部と最右側縁部の間にある２本の縦脚部の他方と、上胴部と共に連続的な縁部を形成する側縁部を持つ２本の縦脚部の一方は、空間により隔てられている。空間は、患者が側面を下にして横たわっている時に患者の体の下方部分を収容するのに十分なように構成されている。
【０００６】
２本の縦脚部の一方の縦側縁部から離れた上胴部の側部の延長部分が、フラップを形成する。フラップは、上胴部から２本の縦脚部の長さに渡り延びている。フラップの外側縁部は、上胴部の縦側縁部に連続している。一方、フラップの内側縁部は、上胴部末端のほぼ中央から延びる縦脚部（２本の縦脚部の他方）の縦側縁部に取り外し可能に接続されている。したがって、フラップはこの縦脚部から分離できる。以下の説明において、この縦脚部を中央縦脚部と称してもよい。取り外し可能な接続を実現するために、フラップと中央縦脚部の縁部との間における共通シール部に沿って、間隔を置いて配置される複数の切込みが設けられている。中央縦脚部から分離されると、フラップは患者が横たわる支持物の腕板に巻きつけることができる。テープや粘着表面層などの接着手段が、上胴部の基端部すなわち上縁部に設けられている。したがって、フラップを患者の腕に巻きつけた時に、上胴部の基端部における接着手段にフラップを接着的に取り付けることにより、フラップを正しい位置に保持することができる。
【０００７】
２本の縦脚部を折ったり伸ばしたりして患者が横たわる面に接着的に接続することができるように、２本の縦脚部の互いに向き合っていない縁部に沿ってテープなどのさらなる接着手段が設けられている。したがって、患者に対してブランケットが正しい位置に固定されることが、保証される。さらに、ブランケットを患者の体に接着固定するために、接着テープまたは接着層を設けてもよい。
【０００８】
前記構造を膨らますために、ブランケット上胴部に設けられた少なくとも１つの入口ポートを経由して、加熱された空気などの温度調節された流体がブランケットに入れられる。患者に接触するブランケットのシートすなわち層に、多数の孔が形成されている。患者の体の上方部分と露出した側面の双方を温めるために、これら孔を介して加熱された空気がブランケットから出る。
【０００９】
したがって、本発明は対流加温ブランケットである。このブランケットは、２枚の不透気性シートを備える。２枚の不透気性シートは、それらの周縁部において互いに接合されて膨らませることが可能な構造を形成する。この構造は、上胴部と２本の縦脚部とを有する。２本の縦脚部は、上胴部の末端部から延びている。２本の縦脚部は空間により互いに隔てられている。ブランケットを患者の上にかけた時に、患者の足から少なくとも患者の臀部または中央部に至る患者の側面を露出させるのに十分なように空間が構成されている。２本の縦脚部の一方が上胴部の縦側縁部から延びる縁部を有する。上胴部の２つの縦側縁部（すなわち最も右の縁部と最も左の縁部）の間に位置する上胴部の末端部から、２本の縦脚部の他方が延びている。ブランケットを患者の上にかけた時に、２本の縦脚部が患者の側面を挟む。前記構造を膨らますために前記構造に温度処理された空気を入れることを可能にする少なくとも１つの入口が、上胴部に設けられている。２枚の不透気性シートのうち患者に接触する不透気性シートが、患者に向けて温度処理された空気を出すための多数の孔を有する。
【００１０】
また本発明は、膨らませることが可能な構造を備える対流加温ブランケットに関する。この構造は、上胴部と、２本の脚部とを有する。２本の脚部は、上胴部の末端部から延びている。２本の脚部は、空間により互いに隔てられている。ブランケットにより患者がカバーされた時に、患者の足から少なくとも患者の臀部に至る患者の側面を露出させるのに十分なように前記空間が構成されている。２本の脚部の一方は、上胴部の左側部または右側部から延びている。２本の脚部の他方は、上胴部の最左側部と最右側部との間の位置において延びている。２本の脚部の一方が延びていない上胴部の側部から、フラップが延びている。温度処理された空気を前記構造に入れることを可能にする少なくとも１つの入口が設けられている。
【００１１】
さらに本発明は、周縁部において封止されている２枚の不透気性シートにより形成され、患者の側面へのアクセスを可能にする対流加温ブランケットに関する。このブランケットは、上胴部と、２本の脚部とを有する。２本の脚部は、上胴部の末端部から延びている。２本の脚部は、空間により互いに隔てられている。患者がブランケットによりカバーされた時に、患者の足から少なくとも患者の臀部に至る患者の側面を露出させるのに十分なように前記空間が構成されている。２本の脚部の一方は、上胴部の左側部または右側部から延びている。２本の脚部の他方は、上胴部の最左側部と最右側部との間の位置において延びている。２枚の不透気性シートが、膨らませることが可能な構造を形成している。またブランケットは、少なくとも１つの入口を有する。この入口は、温度処理された空気を前記構造に入れて前記構造を膨らませることを可能にする。患者の腕を覆う上胴部の部分において２枚の不透気性シートのうち患者に接触する不透気性シートに第１方向の孔の複数の列が設けられ、これらの孔列は少なくとも患者の腕に向かって加熱された空気を出すように働く。患者の体の上方部分を覆う上胴部の部分に沿って患者に接触する不透気性シートに第２方向の孔の複数の列が設けられ、これらの孔列は少なくとも患者の体の上方部分に向かって加熱された空気を出すように働く。
【００１２】
下記の図面と連係した本発明の以下の説明により、本発明がより明らかとなり、また本発明が最も良く理解される。
【図面の簡単な説明】
【００１３】
【図１】患者の体の右側面部を露出するように設計されている、本発明の対流ブランケットの図である。
【図２】図１のブランケットにおける患者に接触する底側シートの上面図である。
【図３】患者をカバーする本発明のブランケットの図であり、かつ患者の例としての露出した側面を示す図である。
【図４】患者にかけられて患者の左側面を露出するように設計されている、本発明のブランケットにおける両シートの重ね合せ図である。
【発明を実施するための形態】
【００１４】
図１を参照すると、そこには本発明実施例のブランケット２が示されている。ブランケット２は、膨らませることが可能な構造４を含む。構造４は、上胴部６、第１の脚部８、および他の脚部（第２の脚部）１２を有する。第１の脚部８は、上胴部６の末端部１０から縦に延びる。他の脚部１２も、上胴部６の末端部１０から縦に延びる。構造４は、２枚の不透気性シートから成る。これらシートのうち底側シートは、図２に示されている。そして、これらシートは、それらの外縁部１４において、接合されている。
【００１５】
図１に示されるブランケット２の方位に関しては、図示の脚部８が上胴部６の左側末端部１０から延びる。脚部８の左縁部８ａは、上胴部６の左縁部すなわちシール部６ａの延長部分となっている。換言すると、ブランケット２の左側部上に示されるように、連続シール部が上胴部６の基部縁から脚部８の末端縁まで縦に延びている。異なる参照番号が付されたブランケット２の異なる部分におけるシール部についてここで説明するのであるが、前に参照番号１４で表したように、実際にはシール部はブランケット２の外縁部に沿って延びている点に留意すべきである。シール部の異なる部分を異なる参照番号で表すのは、ブランケット２の異なる部分をより詳しく指し示すためである。
【００１６】
脚部８は、内側シール部８ｂによっても形成される。外側シール部８ａ（６ａ）の内側に、他のシール部８ｃがある。シール部８ｃは、シール部８ａ（６ａ）と共に、縦の非膨張部１６を形成する。患者に接触するシートの非膨張部１６上に、接着材料または接着部材、例えば両面テープ１８ａと１８ｂ（図２）が設けられる。このように２つの接着テープ１８ａと１８ｂが示されているが、実際にはこれらの接着テープを単一の接着テープで置き換えてもよい。事実、このような単一の接着テープは、図４の実施例のブランケットにおいて、示されている。
【００１７】
第２の脚部１２は、ブランケット２の最左側縁と最右側縁の間における、上胴部６の末端部１０から縦に延びる。参照を平易にするために、図１において、上胴部６のシール部を表す参照番号６ａにより、ブランケット２の最左側部を指し示してもよい。また、上胴部６の右外縁側部のシール部を表す参照番号６ｂにより、ブランケット２の最右側部を指し示してもよい。第２の脚部１２は、右シール部または縁部１２ａと左シール部または縁部１２ｂとを有する。
【００１８】
上胴部６の末端部１０と、脚部８の右縁部８ｂと、脚部１２の左縁部１２ｂとが合同して、空間２０を画成する。空間２０は、ブランケット２のほぼ中央部からブランケット２の足すなわち末端部まで延びている。
【００１９】
ブランケット２には、さらにフラップ２２が形成されている。フラップ２２の右シール部または縁部２２ａが上胴部６のシール縁部６ｂから連続して延びる態様で、フラップ２２は上胴部６の右側部から延びる。フラップ２２は、左縁部２２ｂを有する。フラップ２２の左縁部２２ｂは、脚部１２の右縁部１２ａと共に、非膨張性領域と共通シール部とを形成する。より詳しくは、脚部１２の右縁部１２ａとフラップ２２の左縁部２２ｂとが、縦領域２４を画成する。縦領域２４は、実質的に上胴部６の末端部からブランケット２の足端部２６まで延びている。患者側の層すなわちシート（図２）の上において、縦領域２４内に少なくとも１つの接着細片、本実施例では２つの接着細片、例えば両面テープ２８ａと２８ｂが存在する。２つの接着細片が示されているが、図４の実施例のブランケットにおいて示されるように、単一の接着細片が縦領域２４の長さ方向に沿って延びていてもよい。
【００２０】
シール部２２ｂは、フラップ２２を脚部１２から分ける縁部とみなしてもよい。シール部２２ｂには、多数のスリット３０が設けられる。これらスリット３０は、シール部２２ｂの長さ方向に沿って延びる。これらスリット３０を介して、フラップ２２が取り外し可能に脚部１２に取り付けられている。すなわち、これらスリット３０に沿って引き裂くことにより、フラップ２２を脚部１２から分離することができる。フラップ２２は、上胴部６の末端部から延びていて、シール部２２ｃにより上胴部６に取り付けられている。シール部２２ｃは膨らませることが可能な上胴部６をフラップ２２から分けていて、これによりフラップ２２は非膨張性とされる。脚部１２から分離されたフラップ２２は、方向矢印３２で示されるように、１つの方向に新聞状に折ってもよく、上胴部６の右側部に巻くようにしてもよい。両面テープなどの接着部材３４を、上胴部６の基端部、例えばシール部６ｃに設けてもよい。この場合、方向矢印３２で示されるようにフラップ２２を折った時に、フラップ２２の末端部２２ｄを接着部材３４に接着的に取り付けてもよい。図３を参照しながらより詳しく後述するように、フラップ２２を接着部材３４に取り付ける目的は、患者の両腕が包まれることを保証するためであり、また患者の両腕が患者が横たわる支持面に固定されることを保証するためである。
【００２１】
図１のブランケット２は、対流加温ブランケットである。図１に示されるブランケット２は、さらにブランケット左側部に位置する入口ポート３６と、ブランケット右側部に位置する入口ポート３８とを含む。いかなる時でも、これら入口ポート３６と３８のうちの一つのみが使用される。使用する入口ポートの開口部に空気ホースを挿入し、そして空気加温器を駆動して、温度処理された流体、例えば加熱された空気をブランケット２に入れてブランケット２を膨らます。この空気加温器の一例は、本発明の譲受人によって販売されているエクエータ・エア・ウオーマ（Ｅｑｕａｔｏｒ  Ａｉｒ  Ｗａｒｍｅｒ）である。入口ポート３６と３８は、本出願の譲受人により２００６年４月１２日に出願された出願番号１１／４０１９５７に開示されているものと同じである。出願番号１１／４０１９５７の開示内容は、参照により本出願に組み込まれる。
【００２２】
上胴部６に関して、多数のシール部が示されていて、これらシール部は上胴部６を複数の異なる空気流パターンに分割する。これらシール部は、シール部４０と４１、シール部４２ａないし４２ｄ、およびシール部４４ａないし４４ｅを含む。シール部４０と４１は、上胴部６の強度を上げ、上胴部６の最上部においてシール部に裂け目ができるのを防ぐ働きをする。シール部４２ａないし４２ｄは、上胴部６の右部に位置する。シール部４４ａないし４４ｅは、空間２０に対して実質的に縦に揃うように配置されている。図１において、シール部４０と４１およびシール部４２ａないし４２ｄは、水平方向に延びている。図１において、シール部４４ａないし４４ｅは、垂直方向に延びている。シール部４２ａないし４２ｄが位置する上胴部６の部分を、ブランケット２の腕部と称してもよい。このブランケット腕部は、脚部１２を越えた位置において、脚部１２に対して直交する方向に延びている。すなわち、このブランケット腕部は、脚部８と１２の縦方向に対して直交する方向に延びている。
【００２３】
図２は下側から見たブランケット２の底面図であり、２枚のシートからなる構造の底側シートすなわち底側層を示す。ブランケット２の底側シート（下側シート）４６は、本質的にブランケット２の上側シート４の鏡像として構成される。ただし、入口ポート３６または入口ポート３８を介してブランケット２に入れられた加熱された空気をブランケット２から出す孔が、底側シート４６に追加されている。
【００２４】
特に、患者に接触するブランケット２の下側シートに、２列に並んだ孔４８と２列に並んだ孔５０が設けられている。孔４８の２列は、脚部１２の縁部１２ｂの近傍に縦に延びている。孔５０の２列は、脚部８の縁部８ｂの近傍に位置している。孔４８と５０の各２列から成る２組の孔列が、実質的に脚部８と１２の長さ方向に沿って設けられている。孔４８と５０を有する構成において、ブランケット２が膨らまされると、患者の下胴部が置かれる空間２０に向かってこれらの孔から加熱された空気が出てゆく。これにより、これらの孔に面する患者の正面側と背面側、ならびに露出した患者の横側面が温められる。この点については、図３を参照しながら、後述する。
【００２５】
水平方向のシール部４２ａないし４２ｄに隣接して、かつそれらに沿って孔の複数の列が設けられる。これらの孔は、参照符号４２ａ１、４２ｂ１、４２ｂ２、４２ｃ１、４２ｃ２、４２ｄ１、および４２ｄ２で表される。患者が横を向いて横たわっている時に、シール部４２ａないし４２ｄにおける孔列から出る加熱された空気が患者の両腕と胸部を温める。垂直方向のシール部４４ａないし４４ｅについても、同様に孔の複数の列が設けられる。これらの孔は、図２において、参照符号４４ａ１、４４ｂ１、４４ｂ２、４４ｃ１、４４ｃ２、４４ｄ１、４４ｄ２、および４４ｅ１で表される。シール部４４ａないし４４ｅについての垂直方向列を成す孔から出る加熱された空気が、ブランケット２に覆われる患者の上胴部を温める。
【００２６】
患者に対するブランケット２の配置が、図３に示される。明瞭化のために、患者が横たわる手術台またはベッドが、支持面５２として表されている。図示されるように、支持面５２に横たわる患者５４は、ブランケット２によりカバーされている。点線により図示される空気ホース５６が入口ポート３６の開口部に結合され、空気加温器からの加熱された空気をブランケット２の中へ供給し、ブランケット２を膨らます。図示されるように、脚部８と脚部１２により挟まれた空間２０は、側面から見て患者の足から少なくとも患者の脚と尻、さらにたいていは患者の下方背部と胃に至る患者の体の下部を露出させるのに十分な寸法である。患者の両腕は伸ばされた状態にされ、薬物注入のために患者の両手がブランケット２の外に置かれる。したがって、図３に示される如く患者が左側面を下にして横たわっている時に、シール部４２ａないし４２ｄに揃う孔列から出る加熱された空気が、患者の腕を温め、またある程度患者の胸も温める。同時に、シール部４４ａないし４４ｅに隣接する垂直方向の列を成す孔から出る加熱された空気が、患者の上胴部を温める。
【００２７】
患者が挿管治療を受けているので、図示される患者の頭は、ブランケット上胴部６の最上部により実質的に覆われている。手術台またはベッドに患者を固定するために、前述のようにスリット３０において引き裂くことによりフラップ２２を脚部１２から分離し、患者の両腕を支える面の下でフラップ２２を患者の腕に巻く。フラップ２２の末端部は、上胴部６の上方シール部６ｃに位置する接着テープ３４に固定される。
【００２８】
患者の体の下部側面が露出した状態において、図示の如く外科医または臨床医は患者の体の下部における選択された部分に対して容易にアクセスすることができ、患者が側部を下にして横たわることが必要な外科処置、例えば人工股関節移植を行うことができる。同時に、孔４８と５０の各列から加熱された空気が患者の体の露出した下部に送られるので、患者のその露出した部分が温められる。
【００２９】
ブランケット２を正しい位置に保持するために、フラップ２２を脚部１２から分離して患者の両腕に巻いた後、脚部８と１２の外側縁部を操作して、患者が横たわる手術台またはベッドの面に非膨張部１６の接着層１８ａと１８ｂおよび縦領域２４の接着層２８ａと２８ｂを接着することにより、脚部８の非膨張部１６と脚部１２の縦領域２４を取り外し可能に支持面５２に固定してもよい。ブランケット２の脚部８と１２が支持面５２に接着固定されていると、ブランケット２は正しい位置に保持される。接着層１８ａ、１８ｂ、２８ａ、および２８ｂが恒久的に支持面５２に固定されているわけではないので、ブランケット２を支持面５２から容易に取り外すことができる。
【００３０】
ブランケット２を患者に固定するために、例えばブランケット２の上胴部６の末端部に接着手段、例えば図４に示されるテープ５６を追加して、取り外し可能にブランケット２を患者に張り付けてもよい。
【００３１】
外科処置を患者のいずれの側面部に対しても行う可能性があるので、本発明のブランケットには、２つのバージョンがある。第１バージョンのブランケットは図１ないし３に示されていて、患者が右側面を露出する場合、すなわち患者が左側面を下にして横たわる場合に適合する。患者が右側面を下にして横たわり、したがって患者が左側面を露出する場合は、本発明のブランケットとして図４に示される形状の第２バージョンのものが使用される。
【００３２】
図４は図１ないし３における実施例のブランケットと鏡像関係にあるブランケットを示しており、図４ではそれと同じ参照番号が使用されている。図４における相違点は、便宜上ブランケットの上側シートと下側シートの両方を示す代わりに、下側シートにおける孔と上側シートにおける孔とをスーパーインポーズ形式で描き、したがって双方における孔と入口ポート３６と３８の両方が示されている。図４のブランケットが図１ないし３のブランケットと鏡像関係にあるので、それに応じて図４のブランケットにおける入口ポート３６と３８の配置は図１ないし３のブランケットにおけるものと異なるように設計される。さらに、脚部８と１２のそれぞれに沿って設けられた２つの離れた接着部の代わりに、例としての接着テープ２８と１８の如く、接着層が連続的に縦領域２４と非膨張部１６に沿って設けられている。また、ブランケットを患者に固定するために、接着テープ５６が上胴部６の末端部に設けられている。
【００３３】
図４のブランケット２は、動作と機能に関して、図１ないし３のブランケットと同じである。フラップ２２は脚部１２から分離可能であり、また患者の両腕に巻くことが可能であり、さらに上胴部６の基端部に位置する接着部材３４に固定することができる。そして、患者がベッドまたは手術台の面に横たわり、そして患者にブランケットがかけられている際に、脚部８の非膨張部１６と脚部１２の縦領域２４がブランケットをベッドまたは手術台の面に固定するようにしてもよい。患者を温めるために、種種の列を成す孔から加熱された空気が出るのであり、これは前述した如くである。
【図１】
0005530459.tif 000002
【図２】
0005530459.tif 000003
【図３】
0005530459.tif 000004
【図４】
0005530459.tif 000005